(57)【要約】  非イオン性のアミノ変性シリコーン−ポリアルキルコポリマーを含む防風ガラスのウォッシャー組成物（ここで該コポリマーは、水分散性および親水性である）を開示する。１つの実施態様において、開示されたウォッシャー組成物は、すぐ使用できるウォッシャー液である。他の実施態様において、開示された防風ガラスのウォッシャー組成物は、濃縮添加剤である。また、開示された組成物をガラス表面に塗布することを含むガラス表面の処理方法も開示される。１つの実施態様において、適切なガラス表面は、自動車のような移動用ビークルの防風ガラスである。【特許請求の範囲】
【請求項１】
非イオン性のアミノ変性シリコーン−ポリアルキルコポリマーであって、水分散性および親水性であるコポリマー、
を含むウォッシャー組成物。
【請求項２】
モノアルコール、および、
水
をさらに含む、請求項１に記載のウォッシャー組成物。
【請求項３】
組成物の総重量に基づいて、
１０〜１００重量％のモノアルコール、
０．０１〜５．００重量％の前記非イオン性のアミノ変性シリコーン−ポリアルキルコポリマー、および、
９０〜０重量％の水、
を含む、請求項２に記載のウォッシャー組成物。
【請求項４】
組成物の総重量に基づいて、
０〜５０重量％の任意のポリオール、および、
０〜２．０重量％の任意の添加剤をさらに含む、請求項３に記載のウォッシャー組成物。
【請求項５】
組成物の総重量に基づいて、
２０〜４０重量％のモノアルコール、
０．００１〜２．０重量％の、色素、消泡剤、およびそれらの組み合わせから選択される任意の添加剤、
０．０５〜１．０重量％の前記非イオン性のアミノ変性シリコーン−ポリアルキルコポリマー、および、
８０〜６０重量％の水、
を含む、請求項４に記載のウォッシャー組成物。
【請求項６】
アミノ変性シリコーン−ポリアルキルコポリマーであって、水分散性および親水性であるコポリマー、
モノアルコール、および、
水
を含む、ウォッシャー組成物。
【請求項７】
組成物の総重量に基づいて、
０．０１〜５．００重量％の前記アミノ変性シリコーン−ポリアルキルコポリマー、
１０〜１００重量％のモノアルコール、および、
９０〜０重量％の水、
を含む、請求項６に記載のウォッシャー組成物。
【請求項８】
前記アミノ変性シリコーン−ポリアルキルコポリマーが、非イオン性である、請求項６に記載のウォッシャー組成物。
【請求項９】
前記アミノ変性シリコーン−ポリアルキルコポリマーが、アミノ変性シリコーン−ポリエーテルコポリマーである、請求項６に記載のウォッシャー組成物。
【請求項１０】
前記アミノ変性シリコーン−ポリアルキルコポリマーが、非イオン性のアミノ変性シリコーン−ポリエーテルコポリマーである、請求項６に記載のウォッシャー組成物。
【請求項１１】
請求項６に記載のウォッシャー組成物をガラス表面に塗布することを含む、ガラス表面の処理方法。
【請求項１２】
前記ガラス表面が、移動用ビークルの防風ガラスである、請求項１１に記載の方法。
【請求項１３】
組成物をガラス表面に塗布することを含むガラス表面の処理方法であって、該組成物は、非イオン性のアミノ変性シリコーン−ポリアルキルコポリマーであって、水分散性および親水性であるコポリマーを含む、上記方法。
【請求項１４】
前記非イオン性のアミノ変性シリコーン−ポリアルキルコポリマーが、ガラス表面にある官能基と水素結合を形成する基を含む、請求項１３に記載の方法。
【請求項１５】
前記非イオン性のアミノ変性シリコーン−ポリアルキルコポリマーが、ガラス表面に存在するシラノール官能基と水素結合を形成する反応性基を含む、請求項１４に記載の方法。
【請求項１６】
前記組成物が、モノアルコール、および、水をさらに含む、請求項１３に記載の方法。
【請求項１７】
前記組成物が、組成物の総重量に基づいて、
１０〜１００重量％のモノアルコール、
０．０１〜５．００重量％の非イオン性のアミノ変性シリコーン−ポリアルキルコポリマー、および、
９０〜０重量％の水、
を含む、請求項１６に記載の方法。
【請求項１８】
前記組成物が、組成物の総重量に基づいて、
２０〜４０重量％のモノアルコール、
０．００１〜２．０重量％の、色素、消泡剤、およびそれらの組み合わせから選択される任意の添加剤、
０．０５〜１．０重量％の非イオン性のアミノ変性シリコーン−ポリアルキルコポリマー、および、
８０〜６０重量％の水、
を含む、請求項１７に記載の方法。
【請求項１９】
前記ガラス表面が、移動用ビークルの防風ガラスである、請求項１３に記載の方法。
【請求項２０】
前記組成物が、防風ガラスのワイパーのタンクシステムを介して、防風ガラスのワイパーの動作を併用して防風ガラスに塗布される、請求項１９に記載の方法。
【発明の詳細な説明】
【発明の開示】
【０００１】
関連出願の相互参照
本願は、２００５年３月１５日付けで出願された米国仮出願第６０／６６２，１７９号の利益を主張する（その内容は、参照によりそれらの全体が本明細書に含まれる）。
【０００２】
発明の分野
本発明は、概して、車両の防風ガラスで使用するためのウォッシャー液組成物、より具体的には、除氷するために役立つだけでなく、防風ガラスから水、水性の汚れおよび／または泥をはじくために役立つよう機能するウォッシャー液に関する。
【０００３】
発明の背景
車やトラックなどの自動車は、通常、防風ガラスのウォッシャーおよびワイパーを備えている。ウォッシャーは、通常は防風ガラスのワイパーが接した防風ガラスの領域全体に、ポンプ注送することによって作用するか、または、小さい噴出口から水性流体を噴出させることによって作用する。次に防風ガラスのワイパーが、防風ガラスからその流体を拭き取り、汚れ、氷、雨、塩、雪、雪泥などを落とす。本明細書で用いられる用語「汚れ」は、集合的に、運転者にとって防風ガラスの視界を悪くするあらゆる材料を意味する。汚れを説明するための例としては、泥、塵、砂、灰、葉、化学的な除氷剤の残留物、塩、虫の体液、泥、鳥の糞などが挙げられる。
【０００４】
しかしながら、汚れを除去することに加えて、消費者は、除氷（すなわち防風ガラスから氷を除去すること）を促進するための従来の防風ガラスのウォッシャー組成物も評価している。防風ガラスのウォッシャー／防氷液は、水、凝固点を下げるための水混和性のアルコール、および、着色剤を含むことがある。数種のウォッシャー／防氷液は、潤滑のために界面活性剤を含むだろう。従来の防風ガラスのウォッシャー組成物に氷を溶融させる特性を付与するために、多くの除氷剤または氷結防止組成物は、アルコール、具体的にはメタノールを頼っている。
【０００５】
しかしながら、消費者はまた、防風ガラスから水や汚れをはじくのに役立つ防風ガラスのウォッシャー組成物に対する要求も示している。このような組成物は、運転者がウォッシャー溶液の塗布量を減少させるのに役立つという点で、有利であると予想される。
【０００６】
防風ガラスに撥水特性を付与するといわれている組成物を例に挙げると、このような組成物としては、アルキル置換されたジシリカン、および、アルコキシ置換されたジおよびトリシリカンを含むものが挙げられる。その他の従来技術において、モノアルコキシシリカンが、炭化水素ワックス、および、ポリアミドを含む撥水組成物と併用するための結合組成物として有用であると説明されている。撥水性は、シランそのものに起因するものではない。
【０００７】
従来技術の多くは、疎水性シロキサンの包含を教示している。例えば、米国特許第５，９７３，０５５号は、疎水性オルガノポリシロキサン、または、シリコーン液を含む撥水剤組成物を開示している。米国特許第６，４６１，５３７号は、四級化合物、具体的には、水、アルコール、および、それらの混合物に分散性を有するシロキサンベースの四級化合物を含む防風ガラスのウォッシャー組成物を開示しており、ここで、このような四級化合物は、防風ガラス表面に優れた程度の疎水性を付与する。
【０００８】
遺憾ながら、このような疎水性化合物を包含させると、防風ガラスのウォッシャー組成物の除氷を促進する能力が実質的に減少するか、または、なくなってしてしまうかのいずれかである。
【０００９】
従って、改善された防風ガラスのウォッシャー組成物；具体的には、除氷と、水や汚れをはじく特性の両方を促進するような組成物への必要性が依然として存在する。
発明の概要
非イオン性のアミノ変性シリコーン−ポリアルキルコポリマーであって、水分散性および親水性であるコポリマーを含んでなる、防風ガラスのウォッシャー組成物を開示する。
【００１０】
１つの実施態様において、開示されたウォッシャー組成物は、すぐ使用できるウォッシャー液である。例示的な１つの実施態様において、このようなすぐ使用できるウォッシャー液は、組成物の総重量に基づいて、２０〜４０重量％のモノアルコール、０．００１〜２．０重量％の色素、消泡剤、およびそれらの組み合わせから選択される任意の添加剤、０．０５〜１．０重量％の非イオン性のアミノ変性シリコーン−ポリアルキルコポリマー、および、８０〜６０重量％の水を含む。
【００１１】
その他の実施態様において、開示された防風ガラスのウォッシャー組成物は濃縮添加剤であり、これは、組成物の総重量に基づいて、１０〜１００重量％のモノアルコール、０．０１〜５．００重量％の非イオン性のアミノ変性シリコーン−ポリアルキルコポリマー、および、９０〜０重量％の水を含む。
【００１２】
さらに、開示されたウォッシャー組成物を防風ガラスに塗布することによるガラス表面の処理方法も開示される。
最終的に、組成物をガラス表面に塗布することを含むガラス表面の処理方法が開示され、ここで該組成物は、非イオン性のアミノ変性シリコーン−ポリアルキルコポリマーであって、水分散性および親水性であるコポリマーを含んでなる。例示的な１つの実施態様において、本組成物は、移動用ビークルの防風ガラスのタンクおよびワイパーシステムによって移動用ビークルの防風ガラスに塗布される。
【００１３】
実施態様の詳細な説明
開示された防風ガラスのウォッシャー組成物は、水分散性および親水性のシリコーンコポリマーを含む。特定の理論に縛られることを望むものではないが、開示された組成物は、一時的な水溶性の膜を形成し、それにより、水や汚れをはじく能力を増加させるのに十分な程度に、一時的に防風ガラスの疎水性を高めることができると考えられる。
【００１４】
本明細書で用いられる用語「親水性」は、コポリマーが基材の湿潤性を改善する能力を意味する。意外なことに、このような基材に対して最適なレベルの親水性を有するコポリマーは、防風ガラスの水や汚れをはじく能力に関しては最小限の程度の疎水性を提供しつつ、同時に、防風ガラスから氷や雪を溶かす能力を保持することが見出された。
【００１５】
適切なシリコーンコポリマーを説明するための例としては、アミノ基のような反応性基または官能基と、ポリアルキレンオキサイド基のような非イオン性基との両方を含むものが挙げられる。
【００１６】
１つの実施態様において、本明細書で用いられる用語「反応性基」または「官能基」は、例えば自動車の防風ガラスなどのガラス表面に存在するシラノール官能基と水素結合を形成するような基を意味する。
【００１７】
例示的な１つの実施態様において、非イオン性基は、必要な程度の親水性を提供するのに必要な量で存在すると予想される。従って、例示的な１つの実施態様において、本明細書で用いられる用語「ポリアルキルコポリマー」は、繰り返しのエーテル基、すなわち［−Ｃ−Ｏ−Ｃ−］を含むポリマーを意味する。
【００１８】
具体的に適切な必要な程度の親水性を有するシリコーンコポリマーは、基材に１００％の熱結合させたポリエステルに１％の量で適用した場合、３００ｓｅｃより大きい湿潤性を有する水（コントロール）と比較して、基材の湿潤性を１ｓｅｃ未満に変化させるものであることが発見され、ここで湿潤性は、ＡＡＴＣＣ７９−１９８６によって評価される。
【００１９】
１つの実施態様において、適切なシリコーンコポリマーは、アミノ変性シリコーン−ポリエーテルコポリマーである。例示的な１つの実施態様において、シリコーンコポリマーは、非イオン性のアミノ変性シリコーン−ポリエーテルコポリマーと予想される。
【００２０】
適切なアミノ変性シリコーン−ポリエーテルコポリマーを説明するための例は、米国特許第号第６，５９３，２７４号、および、６，６７３，３５９号（参照により本明細書に含める）で開示されたものと考えられる。
【００２１】
例えば、１つの実施態様において、適切なアミノ変性シリコーン−ポリエーテルは、一般式：ＺＭｅ２ＳｉＯ［（Ｍｅ）２ＳｉＯ］ｘＳｉＭｅ２Ｑで示されるアミノシロキサンアルコキシレートとして説明されているものでもよく、ここで上記式中、ｘ＝０〜２；Ｑ＝ＣａＨ２ａＯ（Ｃ２Ｈ４Ｏ）ｂ（Ｃ３Ｈ６Ｏ）ｃＲ；ａ＝２〜４；ｂ＝１〜１２；ｃ＝０〜５であり、ただしｃが０より大きい場合、（ｂ＋ｃ）＝２〜１２であり；Ｒは、水素、アセチル、または、１〜４個の炭素原子の炭化水素基であり；Ｚは、ＢＮ［ＤＯ（ＣｄＨ２ｄＯ）ｅＲ］２−ＺＶＺであり、ここでｄはそれぞれ、２〜４であり、ｅはそれぞれ、０〜１５であり、ｚ＝０〜２、Ｖはそれぞれ、一価の基であり、Ｄは、２価の架橋基であるアルキレンであり、ここにヒドロキシル置換基が存在していてもよく、Ｂは、２価の架橋基である。
【００２２】
１つの実施態様において、Ｖ基は、８個未満の炭素のアルキル基（分岐状、直鎖状または環状のいずれでもよい）であってもよく、このＶ基は、ヒドロキシル官能基を含んでいてもよいし、または、含んでいなくてもよい。その他の例示的な実施態様において、Ｖは、アルキルアミン官能基であってもよく、そのうちの窒素がさらに置換されてもよいし（例えばアルキルで）、または、さらにアルコキシル化されてもよい。具体的に例示的な１つの実施態様において、Ｖは、エチル、２−ヒドロキシエチル、３−ヒドロキシプロピル、メチル、または、２−アミノエチルのいずれか１つが可能である。
【００２３】
１つの実施態様において、Ｂ基は、式：Ｄ（Ｏ）ｙ（ＣｄＨ２ｄＯ）ｊＤで示されるものでもよく、上記式中、Ｄおよびｄは上述した通りであり、ｊ＝０〜８、好ましくは０〜２、および、ｙ＝０または１である。例示的な１つの実施態様において、Ｄは２〜６個の炭素原子を有していてもよく、Ｂも、Ｃ２〜Ｃ４の２価アルキレン基であってもよい。
【００２４】
ＱまたはＢがオキシアルキレンの混合物である場合、ＱまたはＢは、ブロック状でもよいし、または、ランダム状でもよい。当業者であれば当然ながら、アルキレンオキシド基がブロック状の場合のオキシプロピレンに対するオキシエチレンの配置が有利である。
【００２５】
Ｚ基は、プロトン化アミンを含んでいてもよく、すなわち、Ｚ基中の窒素に結合した水素イオンが存在する場合、プロトン化アミンは、酸性条件下でアミノシロキサンアルコキシレートに存在する可能性がある。また、Ｚの四級の形態、すなわちＺ中の窒素に第三のＲ３基が存在するような形態も適切である。
【００２６】
適切なアミノ変性シリコーン−ポリエーテルコポリマーは、末端のヒドリドシロキサンを、アリルグリシジルエーテル（allyl glycidal ether）、および、アリル開始ポリアルキレンオキシドでヒドロシリル化（hydrosilation）することによって製造してもよい。それに続いて、エポキシド成分を第一または第二アミンで開環してもよい。このような成分は市販されている。あるいは、ヒドロシリル化は、アリルアミン、および、アリル開始ポリアルキレンオキシドを用いて起こしてもよい。ヒドロシリル化反応条件は、Marcienic編, 122~23および558〜568（1995）における記載を参照してもよく、これらは本明細書に包含される。アミン中間体（例えばアリルアミン）は、不飽和ハロゲン化物（例えば臭化アリル）とアミンとの反応によって製造してもよい。またアリルアミンは、アリルグリシジルエーテル（または類似の不飽和エポキシド）と、アミンとの反応（それによって架橋基Ｂにエーテル結合が形成される）によって製造してもよい。代替法として、ＰＣＴＵＳ９７／０４１２８（参照により本開示に含まれる）にはアジリジンの使用が開示されているが、これは毒性の理由で好ましくはない。
【００２７】
適切な市販のアミノ変性シリコーン−ポリエーテルコポリマーの例示的な実施態様は、フォルマシル（Formasil：商標）５９３であり、これは、８０％より多いアミノ変性シリコーン−ポリエーテルコポリマーと、２０％未満のポリアルキレンオキサイドとの混合物としてＧＥシリコーン（GE Silicones、フレンドリー、ウェストバージニア州）から市販されている。当然のことながら、本発明において、フォルマシル（商標）は、開示された組成物および方法に使用するのに適した非イオン性のアミノ変性シリコーン−ポリアルキルコポリマーの市販品の一例として用いられる。
【００２８】
１つの実施態様において、シリコーンコポリマーは、一般的に、非イオン性のアミノ変性シリコーン−ポリアルキルコポリマーを０．０１〜５．００重量％の量で用いることができる。
【００２９】
その他の実施態様において、開示された組成物が防風ガラス洗浄組成物として用いられる場合、シリコーンコポリマーは、組成物の総重量に基づいて、０．０５〜１．０重量％の量で使用可能である。例示的な１つの実施態様において、開示された組成物が防風ガラス洗浄組成物として用いられる場合、シリコーンコポリマーは、組成物の総重量に基づいて、０．１〜０．５重量％の量で使用可能である。
【００３０】
開示された組成物が、従来の防風ガラスのウォッシャー組成物に添加される濃縮添加剤として用いられる場合、シリコーンコポリマーは、非イオン性のアミノ変性シリコーン−ポリアルキルコポリマーを、濃縮物の１６液量オンスごとに、０．０５〜１．０重量％の量で使用可能である。濃縮添加剤のその他の実施態様において、シリコーンコポリマーは、非イオン性のアミノ変性シリコーン−ポリアルキルコポリマーを、濃縮物の１６液量オンスごとに１．００〜２．０重量％の量で使用可能である。
【００３１】
また、防風ガラスのウォッシャー組成物は、任意に任意のポリオール成分を含んでいてもよく、このような成分としては、例えば、グリコール、フッ素化ポリエーテルジオール、または、前述の化合物の１種またはそれより多くを含む組み合わせが挙げられる。任意のポリオール成分は低粘度の成分であってもよく、このような成分としては、例えば、約５０００センチポイズ未満、またはそれに等しい粘度を有するグリコールが挙げられる。
【００３２】
適切なグリコールとしては、例えば、エチレングリコール、１，２−プロピレングリコール、１，３−プロピレングリコール、１，２−ブチレングリコール、１，３−ブチレングリコール、１，４−ブチレングリコール、１，２−ペンチレングリコール、１，３−ペンチレングリコール、１，４−ペンチレングリコール、１，５−ペンチレングリコール、１，６−ペンチレングリコール、ネオペンチルグリコール、ヘキサンジオールなど、および、前述のグリコールの１種またはそれより多くを含む組み合わせが挙げられる。
【００３３】
任意のポリオール化合物は、防風ガラスのウォッシャー組成物の総重量の約０重量％〜約４０重量％で含まれる。その他の実施態様において、補助化合物は、防風ガラスのウォッシャー組成物の総重量の約１重量％〜約３０重量％で含まれる。その他の実施態様において、補助化合物は、防風ガラスのウォッシャー組成物の総重量の約１重量％〜約２０重量％で含まれる。その他の実施態様において、補助化合物は、防風ガラスのウォッシャー組成物の総重量の約１重量％〜約５重量％で含まれる。補助化合物がシリコーンオイルである場合、シリコーンオイルは、例えば、防風ガラスのウォッシャー組成物の総重量の約１重量％〜約５重量％で含まれていてもよい。補助化合物がグリコールである場合、グリコールは、例えば、防風ガラスのウォッシャー組成物の総重量の約１重量％〜約４０重量％で含んでいてもよい。
【００３４】
ウォッシャー組成物と濃縮添加剤の両方に使用するのに適切なモノアルコールとしては、シリコーンコポリマーと任意のポリオール化合物の両方にとって溶媒であるモノアルコールが挙げられる。適切な溶媒としては、例えば、水、および、アルコール、例えばメタノール、エタノール、イソプロパノール、ならびにそれらの組み合わせが挙げられる。
【００３５】
また、開示された防風ガラスのウォッシャー組成物は追加の添加剤を含んでいてもよく、このような追加の添加剤としては、例えば、色素および顔料、消泡剤、緩衝剤などが挙げられる。
【００３６】
適切な緩衝剤としては、例えば、有機および無機の酸ならびに塩基、それらの塩、例えば、炭酸、リン酸、硫酸、硫化水素酸、Ｃ１〜Ｃ６オルガノ、モノもしくはポリカルボン酸、または、Ｃ２〜Ｃ３０アルキレンイミノポリカルボン酸の、モノもしくはポリアルカリ金属、アルカリ土類金属もしくはアミン塩、アンモニア、Ｃ１〜Ｃ３０有機塩基、または、前述の緩衝剤の１種またはそれより多くを含む組み合わせが挙げられる。例示的な緩衝剤としては、炭酸水素ナトリウム、炭酸ナトリウム、水酸化アンモニウム、炭酸アンモニウム、ホウ酸ナトリウム、リン酸一、二または三ナトリウム、リン酸一、二または三カリウム、リン酸アンモニウムナトリウム、硫酸一または二ナトリウム、酢酸、酢酸ナトリウム、酢酸カリウム、酢酸アンモニウム、酢酸カルシウム、ギ酸ナトリウム、硫化一または二ナトリウム、アンモニア、モノ、ジまたはトリエチルアミン、モノ、ジまたはトリエタノールアミン、（エチレンジニトリロ）四酢酸ナトリウム塩（ナトリウムＥ．Ｄ．Ｔ．Ａ．）、ピリジン、アニリン、ケイ酸ナトリウム、ならびに前述の緩衝剤の１種またはそれより多くを含む組み合わせが挙げられる。
【００３７】
開示された防風ガラスのウォッシャー組成物が濃縮添加剤として用いられる場合、この組成物は、一般的に、組成物の１６液量オンスごとに、１０〜１００重量％のモノアルコール、０．０１〜５．００重量％の非イオン性のアミノ変性シリコーン−ポリアルキルコポリマー、および、９０〜０重量％の水を含んでいてもよい。
【００３８】
開示されたウォッシャー組成物が従来のウォッシャー組成物として用いられる場合、この組成物は、一般的に、組成物の総重量に基づいて、２０〜４０重量％のモノアルコール、０．００１〜２．０重量％の色素、消泡剤、およびそれらの組み合わせから選択される任意の添加剤、０．０５〜１．０重量％の非イオン性のアミノ変性シリコーン−ポリアルキルコポリマー、および、８０〜６０重量％の水を含んでいてもよい。
【００３９】
防風ガラスのウォッシャー組成物は、例えば上記成分を混合することによって形成することができる。必要に応じて、防風ガラスのウォッシャー組成物のｐＨを前述の緩衝剤を用いて調節してもよい。
【００４０】
防風ガラスのウォッシャー組成物のｐＨは適宜調節される。防風ガラスのウォッシャー組成物は、約４〜約６のｐＨ、または、約５のｐＨを有していてもよい。
また、本発明の防風ガラスのウォッシャー組成物は、濁度または曇りが少ないことを特徴とするという点でも有利である。例示的な１つの実施態様において、開示されたウォッシャー組成物は、平均的な消費者には透明にみえる。
【００４１】
さらに、ガラス表面、または、防風ガラスもしくは窓の処理方法も開示される。１つの実施態様において、開示された方法は、ガラス表面を、上述のような特定のシリコーンコポリマーを含むウォッシャー組成物で処理すること、または、それらを塗布することを含む。
【００４２】
適切なガラス表面を説明するための例としては、汚れに晒されたあらゆるガラス表面が挙げられる。例示的な１つの実施態様において、適切なガラス表面は、汚れに晒されたあらゆる防風ガラスまたは窓である。具体的に例示的な１つの実施態様において、開示された方法で使用するのに適したガラス表面は、移動用ビークル、例えば車、トラック、ボート、飛行機、列車などの窓および防風ガラスである。
【００４３】
例示的な１つの実施態様において、適切なガラス表面は、塗布された組成物中に存在する非イオン性のアミノ変性シリコーン−ポリアルキルコポリマーと水素結合を形成することができる基を含むと予想される。１つの実施態様において、適切なガラス表面は、塗布された組成物に存在する非イオン性のアミノ変性シリコーン−ポリアルキルコポリマーと水素結合を形成するシラノール官能基を含むと予想される。例示的な１つの実施態様において、非イオン性のアミノ変性シリコーン−ポリアルキルコポリマーは、ガラス表面に存在するシラノール官能性と水素結合を形成するエーテル基のような反応性基を１個またはそれより多く含むと予想される。
【００４４】
１つの実施態様において、開示されたウォッシャー組成物は、数種の適切な塗布方法のいずれかによって、適切なガラス表面を処理してもよいし、または、それらに塗布してもよい。
【００４５】
適切な塗布方法を説明するための例としては、噴霧、ロール塗り、ワイピング、流入（pouring）、およびそれらの組み合わせが挙げられる。
スプレー塗布を説明するための例としては、トリガースプレー装置、加圧式スプレー装置もしくはエアロゾルスプレー装置、または、例えば自動車の防風ガラスのウォッシャータンクによる塗布が挙げられる。ロール塗りによる塗布は、コーティング塗布に用いられるのような含浸ローラーの使用によって、手動で達成してもよいし、または自動で達成してもよい。ワイピングは、単なる布地または紙を用いて、手動で達成してもよいし、または自動で達成してもよい。組み合わせによる塗布の例としては、移動用ビークルの防風ガラスのウォッシャータンクシステムと、１個またはそれより多くの前記車両の防風ガラスまたはウィンドワイパーの動作との併用が挙げられる。
【００４６】
開示された方法の例示的な１つの実施態様において、開示されたウォッシャー組成物は、移動用ビークルの窓または防風ガラスに塗布されると予想される。開示された方法の具体的に例示的な１つの実施態様において、移動用ビークルは自動車である。
【００４７】
本明細書で開示された全ての範囲は、上端と下端を含み、さらに組み合わせ可能である。用語「第一」、「第二」などは、本明細書において、順番、量または重要性のどれも意味するのではなく、１種の構成要素をその他の構成要素と区別するために用いられており、さらに、用語「a」および「an」は、本明細書において、量の限定を意味するのではなく、参照された事項が少なくとも１つ存在することを意味する。「任意の」または「任意に」は、その後に説明される現象または環境が発生しもよいし、または発生しなくてもよいことを意味しており、このような説明は、その現象が起こる場合と、起こらない場合とを含む。量と組み合わせて用いられる修飾語句の「約」は、既定された値の上端と下端を含み、さらに、その意味は状況に応じて決定される（例えば、特定の量の測定に伴うある程度の誤差を含む）。
【００４８】
本発明を例示的な実施態様を参照しながら説明したが、当業者には当然ながら、本発明の範囲から逸脱することなく、様々な変化を施してもよく、さらにそれらの構成要素を等価なもので置き換えてもよい。加えて、それらの必須の範囲から逸脱することなく、特定の状況または材料を本発明の教示に適合させるために多くの改変を施すことができる。
【００４９】
実施例
以下の表１および２で指定された通りの材料を混合することによって、開示された組成物を説明するための実施例を製造した。
【００５０】
【表１】
2008533284.tif 000002
【００５１】
【表２】
2008533284.tif 000003
【００５２】
表１に記載の防風ガラスのウォッシャー組成物は、従来のケイ素を含む化合物をまったく含まないウィンドウォッシャー組成物と等しい除氷性能、および、市販の撥水性の防風ガラス洗浄組成物の３倍を超える除氷能力を有し、表１に記載の組成物は、市販の撥水性の防風ガラス洗浄組成物と等しい撥水性を有していたことが見出された。
【国際調査報告】
2008533284.tif 000004
2008533284.tif 000005
2008533284.tif 000006